(57)【特許請求の範囲】
【請求項１】
それぞれ種類が異なるエアゾール組成物が充填され、かつ、一体に結合された２個の有底筒状の容器と、
それぞれの容器に設けたバルブと、
それらバルブを一斉操作する操作部とを有し、
その操作部に、それらバルブ操作によりエアゾール組成物を噴出するための噴孔がそれぞれ設けられており、
前記２個の容器が床置き式の形態を備えており、
前記２つの噴孔のエアゾール組成物を噴射する方向が、平面視で反対向きである複数対象用のエアゾール製品。
【請求項２】
それぞれ種類が異なるエアゾール組成物が充填され、かつ、一体に結合された２個の有底筒状の容器と、
それぞれの容器に設けたバルブと、
それらバルブを一斉操作する操作部とを有し、
一方のバルブにエアゾール組成物を噴射する噴孔が設けられた押しボタンが取り付けられ、前記操作部に、残りのエアゾール組成物を噴射するための噴孔が設けられ、
前記押しボタンが操作部に対して上下動自在に設けられると共に、操作部の内面と係合する係合突起が設けられ、
前記２個の容器が床置き式の形態を備えており、
前記押しボタンが操作部に対して回動自在である、複数対象用のエアゾール製品。
【請求項３】
それぞれ種類が異なるエアゾール組成物が充填され、かつ、一体に結合された２個の有底筒状の容器と、
それぞれの容器に設けたバルブと、
それらバルブを一斉操作する操作部とを有し、
前記バルブにエアゾール組成物を噴射する噴孔が設けられた押しボタンが取り付けられ、
前記押しボタンが操作部に対して上下動自在に設けられると共に、操作部の内面と係合する係合突起が設けられ、
前記２個の容器が床置き式の形態を備えており、
前記押しボタンが操作部に対して回動自在である、複数対象用のエアゾール製品。
【請求項４】
前記２つの噴孔の噴射方向の仰角が異なる請求項１、２または３のいずれかに記載のエアゾール製品。
【請求項５】
前記バルブを開いた状態に維持する手段を備えている請求項１〜４のいずれかに記載のエアゾール製品。
【請求項６】
並列的に結合された２個の容器からなり、
それらの容器を床面上に斜め方向に配置する支持部を備えている請求項１〜３のいずれかに記載のエアゾール製品。
【請求項７】
２個の容器からなり、
それら容器の底部同士を連結する底部連結部材を有し、その底部連結部材の側壁に、横方向への転倒を防止する支持片が展開可能に設けられている請求項１〜３のいずれかに記載のエアゾール製品。
【請求項８】
並列的に結合された２個の容器からなり、
それら２個の容器の底部に底部連結部材が着脱自在に設けられ、その底部連結部材が、２個の容器の底部に対して横向きにも取り付けることができるように構成されている請求項１〜３のいずれかに記載のエアゾール製品。
【発明の詳細な説明】
【０００１】
【発明の属する技術分野】
本発明は複数対象用のエアゾール製品に関する。
【０００２】
【従来の技術】
従来より、２種類のエアゾール組成物を２個の容器に個別に充填しておき、同じ方向に噴出させるように両方の容器を結合させたエアゾール製品が提案されている。たとえば特開平３−３５３８７号公報には、並列的に配置した２本のエアゾール容器の上端部を１枚のプレート状の保持部で連結し、１個のレバーの操作で両方のエアゾール製品のバルブを開く操作ができるように構成している。また、特開平４−３７６４７号公報には、押しボタン同士が当接するように、一方のエアゾール製品を上下逆向きに配置し、ハンドルレバーで連結したものが開示されている。このような２液同時噴射タイプのエアゾール製品は、２液式の染毛剤や、２液式接着剤の噴射装置として利用できる。
【０００３】
他方、特開平１−１０４３６５号公報には、１個の押しボタンに２個の容器を互いに上下逆向きに連結し、各容器に異なるエアゾール組成物（たとえば芳香剤と殺菌剤など）を充填したものが開示されている。このものは、机上などに載置し、上側の容器の底部を押しつけることにより、１個のノズルから、いずれか一方のエアゾール組成物を選択して噴出させることができる。なおこのものは、２液を同時に噴出させるようにすることもできる。
【０００４】
また、特許第２８１９４８１号公報には、２方向に噴射する床置き全量噴射型のエアゾール装置が開示されている。このものは、１個のエアゾール製品から噴射ノズルにより２方向に噴射することができる。
【０００５】
【発明が解決しようとする課題】
従来の２種類のエアゾール組成物を噴射するエアゾール製品は、最終的に混合させるか、別個に使用するかを問わず、同じ方向に噴射し、同一対象物に適用（塗布）したり、同一の空間内に噴霧したりするものである。そのため、異なる物品に適用したり、別個の空間内に空間噴霧したりすることはできない。しかし例えば自動車の室内に芳香剤を噴射し、カーエアコン内に殺菌・消臭剤を噴射するなど、異なる対象に異なるエアゾール組成物を噴射したい場合がある。
【０００６】
このような場合、従来は２本のエアゾール製品を用意し、個別に設置して個別に操作しなければならない。そのため、１本ずつ順に噴射させる操作をする必要があり、操作が面倒である。さらに全量噴射型のエアゾール製品の場合は、一方を噴射させた後、つぎのエアゾール製品を噴射させる間は、操作する者が一方の噴霧を吸引したりする場合がある。
【０００７】
また前記従来の２方向に噴射するエアゾール装置は、エアゾール組成物を広く拡散する手段としては効果的であるが、容器が２本の場合は噴射方向を左右対称に設けないと噴射の反作用により、容器が転倒しやすくなる。そのため、目的に応じて任意に噴射方向を設定することが困難であるという問題がある。
【０００８】
本発明は異なる対象に対して異なるエアゾール組成物を噴射する作業を、簡単に、かつ実質的に同時に行うことができ、それにより使用者の手間を省き、使用状況により、噴射されたエアゾール組成物に曝される危険性を軽減することを技術課題とするものである。さらに本発明は、非対称の２方向に噴射させる場合でも、転倒しにくいエアゾール製品を提供することを技術課題としている。
【０００９】
【課題を解決するための手段】
本発明の複数対象用のエアゾール製品（請求項１）は、それぞれ種類が異なるエアゾール組成物が充填され、かつ、一体に結合された２個の有底筒状の容器と、それぞれの容器に設けたバルブと、それらバルブを一斉操作する操作部とを有し、その操作部に、それらバルブ操作によりエアゾール組成物を噴出するための噴孔がそれぞれ設けられており、前記２個の容器が床置き式の形態を備えており、前記２つの噴孔のエアゾール組成物を噴射する方向が、平面視で反対向きであることを特徴としている。
【００１０】
本発明のエアゾール製品の第２の態様（請求項２）は、それぞれ種類が異なるエアゾール組成物が充填され、かつ、一体に結合された２個の有底筒状の容器と、それぞれの容器に設けたバルブと、それらバルブを一斉操作する操作部とを有し、一方のバルブにエアゾール組成物を噴射する噴孔が設けられた押しボタンが取り付けられ、前記操作部に、残りのエアゾール組成物を噴射するための噴孔がそれぞれ設けられ、前記押しボタンが操作部に対して上下動自在に設けられると共に、操作部の内面と係合する係合突起が設けられ、前記複数個の容器が床置き式の形態を備えており、前記押しボタンが操作部に対して回動自在であることを特徴としている。
本発明のエアゾール製品の第３の態様（請求項３）は、それぞれ種類が異なるエアゾール組成物が充填され、かつ、一体に結合された２個の有底筒状の容器と、それぞれの容器に設けたバルブと、それらバルブを一斉操作する操作部とを有し、前記バルブにエアゾール組成物を噴射する噴孔が設けられた押しボタンが取り付けられ、前記押しボタンが操作部に対して上下動自在に設けられると共に、操作部の内面と係合する係合突起が設けられ、前記２個の容器が床置き式の形態を備えており、前記押しボタンが操作部に対して回動自在であるあることを特徴としている。
このようなエアゾール製品では前記２つの噴孔の噴射方向の仰角が異なるものが好ましい（請求項４）。また、バルブを開いた状態に維持する手段を備えている、全量噴射式のものとするのが好ましい（請求項５）。さらに前記容器の内、いずれかの容器を、他の容器の内部に収容することもできる。
【００１１】
このようなエアゾール製品は、並列的に結合された２個の容器からなり、それらの容器を床面上に斜め方向に配置する支持部を備えているものが好ましい（請求項６）。
また、２個の容器からなり、それら容器の底部同士を連結する底部連結部材を有し、その底部連結部材の側壁に、横方向への転倒を防止する支持片が展開可能に設けられているものが好ましい（請求項７）。
さらに、並列的に結合された２個の容器からなり、それら２個の容器の底部に底部連結部材が着脱自在に設けられ、その底部連結部材が、２個の容器の底部に対して横向きにも取り付けることができるように構成されているものが好ましい（請求項８）。
【００１２】
【作用および発明の効果】
本発明のエアゾール製品（請求項１）は、それぞれの噴孔を異なる対象物に向けた状態に保持し、その状態でバルブを開くと、それぞれの対象物に異なるエアゾール組成物を好適な噴射状態で噴射させることができる。そして容器が一体に結合されているので、一個所で操作することにより、同時に２以上の対象物への噴射を行うことができる。そのため操作が容易であり、時間が節約できる。
【００１３】
また、複数個のバルブを一斉に操作する操作部を備えているので、その噴射部材を操作するだけで、２種以上の対象物に一斉に噴射させることができる。さらに、床置き式の形態を備えているので、使用者の顔などをエアゾール製品の噴孔から離すことができるので、使用者にとって噴射されたエアゾール組成物が顔などにかかる危険性が少ない。
本発明のエアゾール製品の第２、３の態様（請求項２、３）は、操作部と別個の押しボタンを備えているので、押しボタンのみを操作できる。そして、押しボタンを操作部に対して回動自在に取り付けているので、容器を設置した後に、押しボタンを適切な向きに合わせることができる。
前記２つの噴孔の噴射方向の仰角が異なる場合（請求項４）は、異なる仰角で同時に噴射できる。
バルブを開いた状態に維持する手段を備えた全量噴射式のエアゾール製品（請求項５）に採用する場合は、片方の噴射が継続している状態で他方の操作をする必要がないので、使用者が噴射されたエアゾール組成物に触れる危険性を一層防止することができる。
【００１４】
並列的に結合された２個の容器からなり、それらの容器を床面上に斜め方向に配置する支持部を備えている場合（請求項６）は、安定して床に載置することができ、２個のノズルの向きが非対称であっても、倒れにくい。
【００１５】
２個の容器からなり、それら容器の底部同士を連結する底部連結部材を有し、その底部連結部材の側壁に、横方向への転倒を防止する支持片が展開可能に設けられている場合（請求項７）は、底部連結片を展開するだけで、エアゾール製品を安定して床に載置することができる。
【００１６】
並列的に結合された２個の容器からなり、それら２個の容器の底部に底部連結部材が着脱自在に設けられ、その底部連結部材が、２個の容器の底部に対して横向きにも取り付けることができるように構成されている場合（請求項８）は、一旦取り外した底部連結部材を横向きにして容器の底部に取り付けることにより、エアゾール製品を倒れにくい状態で設置することができる。
【００１７】
【発明の実施の形態】
つぎに図面を参照しながら本発明のエアゾール製品の実施の形態について説明する。図１は本発明のエアゾール製品の一実施形態を示す一部断面正面図、図２はそのエアゾール製品の斜視図、図３は図１における連結部材の開いた状態を示す斜視図、図４はそのエアゾール製品の使用状態を示す説明図、図５は本発明のエアゾール製品の他の実施形態を示す側面図、図６は本発明のエアゾール製品のさらに他の実施形態を示す斜視図、図７は本発明のエアゾール製品のさらに他の実施形態を示す要部断面図、図８ａおよび図８ｂはそれぞれ本発明のエアゾール製品のさらに他の実施形態を示す斜視図、図９は本発明のエアゾール製品のさらに他の実施形態を示す斜視図、図１０および図１１はそれぞれ本発明のエアゾール製品のさらに他の実施形態の使用方法を示す説明図である。
【００１８】
図１に示すエアゾール製品１０は、並列的に配置される２個の容器１１、１２と、それらの容器の上部同士を連結する連結部材１３とを有する。各容器１１、１２は、有底筒状の容器本体１４と、その上端にマウンティングカップ１５により取り付けられるバルブ１６とを備えている。それぞれの容器１１、１２には、異なるエアゾール組成物が充填されている。
【００１９】
この実施形態では、容器本体１４ははぜ継ぎで円筒状に形成した胴部１８と、その下端および上端にそれぞれ巻き締めした底部１９およびドーム２０とを備えた、いわゆるスリーピース缶であり、ブリキなどの金属製の公知のものである。マウンティングカップ１５はドーム２０の上端のビード部にクリンプされている。なお、アルミ缶、ツーピース缶なども用いることができる。容器本体１４は、床に置いたときに安定するように、高さを直径の３倍以下、とくに２倍以下にするのが好ましい。また、容器本体１４の底部同士を連結する底部連結部材を用いてもよく、その場合は２個の容器の横方向の幅をある程度広めにするのが安定性のために好ましい。また、後述するように底部連結部材を利用して、一層倒れにくい工夫をするのが好ましい（図９〜図１１参照）。さらに２本の容器１１、１２の胴部１８同士をフィルムやベルトで一体に連結してもよい。
【００２０】
前記バルブ１６は、有底筒状のハウジング２１と、その内部に上下に移動自在に設けられるステム２２と、ステムを常時上向きに付勢するバネと、マウンティングカップ１５とハウジング２１の間に介在させるバルブラバーなどからなる公知のものである。マウンティングカップ１５とドーム２０の上端のビード部との間には、ガスケットを介在させている。
【００２１】
容器１１、１２の上端同士を結合する連結部材１３は、２個の容器１１、１２のドーム２０を隠すためのカバー部２４と、その上に配置される操作部２５とを備えている。カバー部２４および操作部２５は、図２に示すようにそれぞれ小判形を呈している。それらは別体にしてもよいが、図３に示すように、直線部に設けたヒンジ２６で連結しておくと、取り扱いが容易であるので好ましい。連結部材１３はたとえば合成樹脂などで成形することができる。
【００２２】
図１および図３に示すように、カバー部２４は小判状の底板２７と、その周囲の下面側に設けられる側壁２８とを有する。底板２７には、容器１１、１２に固定するための円形の開口部２９が形成されている。開口部２９の内周面には、ビード部にクリンプしたマウンティングカップ１５の周囲と係合する段部３０が突出している。さらに底板２７におけるヒンジ２６とは逆側に、２個の係止孔３１が形成されている。
【００２３】
操作部２５も、カバー部と同様に、小判状の天板３３とその周囲の下面側に突出する側壁３４とを備えている。天板３３の下面側には、ステム２２を受け入れる穴３６を有する下部突起３７が設けられている。そして天板３３の上面側には、それらの下部突起３７と対応する上部突起３８が設けられている。下部突起の穴３６から上部突起３８の側面まで、通路３９が形成されており、その通路の上端側は上部突起３８の側面に開口し、その開口にノズルチップ４０が取り付けられている。さらにこの実施形態では、天板３３の上面の、ヒンジ２６と逆側の縁部の中間部に指で押すための指押し突起４１が突設されている。この実施形態では指押し部４１と、ノズルチップ４０の噴孔４２、４３とが離れた位置にあるため、噴射操作をする前、すなわち指押し突起４１を押す前に、噴孔４２、４３の位置を容易に確認することができる。その結果、噴射されたエアゾール組成物が人体にかかったり、吸引したりすることが防止される。
【００２４】
図１および図２に示すように、上部突起３８に設けたノズルチップ４０の噴孔４２、４３同士は、異なる方向を向いている。すなわちこの実施形態では、各容器１１、１２の噴孔４２、４３は、平面的に見れば、２個の容器１１、１２を結ぶ軸線に沿って１８０度、逆の方向を向いている。垂直的には、噴孔４２、４３はそれぞれ斜め上方を向いている。仰角は左右の容器１１、１２で異なっている。図１の場合は、左側の容器（第１容器）１１では２０〜３０度程度と低く、右側の容器（第２容器）１２では６０〜８０度程度と高くなっている。なお、噴孔４２、４３の向きは、上記の場合に限るものではなく、容器同士を結ぶ軸線に対してそれぞれ横向きで、逆の方向を向くようにしたり、一方を斜め上向きで、他方を斜め下向きにするなど、用途に応じて適切な向きを採用すればよい。
【００２５】
図３に示すように操作部２５の下面側には、カバー部２４の係止孔３１と係合する２本の係止ピン４４が突設されている。その係止ピン４４は、操作部２５をカバー部２４側に強く当接させたとき、係止孔３１に係合し、ステム２２を押し込んでバルブ１６を開いた状態に維持するためのものである。すなわち操作部２５の側壁３４の高さは、下部突起３７をステム２２に嵌合させた状態ではカバー部２４の底板２７に当接せず、いくらか隙間ができ、バルブ１６の付勢力に抗して押し下げたときに初めて当接する寸法にしている。すなわちこの実施形態では、いわゆる全量噴射型のエアゾール製品を採用している。
【００２６】
第１容器１１に充填するエアゾール組成物の一例としては、カーエアコン内部に循環させる殺菌・消臭剤があげられる。第２容器１２に充填するエアゾール組成物の一例としては、車室内の空間噴霧用の芳香剤があげられる。このように、各容器１１、１２に充填するエアゾール組成物が異なるので、図２の連結部材１３の上面には、噴射させる対象物の名称などを示す表示Ｈを明確に表しておくのが好ましい。それにより逆の対象物に誤って噴射させることを防ぐことができる。さらに噴射方向を示す矢印Ｙなどを表しておくと、誤った方向に噴射されるのを防ぐことができ、エアゾール組成物を効果的に噴射させることができる。
【００２７】
また本発明のエアゾール製品は、異なるエアゾール組成物を複数個の容器に充填しているため、製品の目的に応じて噴射形態を選択することができる。たとえば前述のカーエアコン用殺菌・消臭剤と室内空間用芳香剤の組み合わせの場合、第１容器では、噴射されたエアゾール組成物がエアコン内部に長く対流できるように噴射量を少なくし、さらにエアコンの空気の吸入孔付近でエアゾール組成物が噴射されるように、噴射パターンを狭くする噴射機構を選択するのが好ましい。一方、第２容器では、室内でエアゾール組成物が広範囲に拡散するように、噴射パターンを広くする噴射機構を選択するのが好ましい。
【００２８】
上記のごとく構成されるエアゾール製品１０は、たとえば図４に示すように、自動車の運転席ないし助手席５０の床面５１に載置して用いる。各噴孔４２、４３の向きは、殺菌・消臭剤を噴射する第１容器１１の噴孔をカーエアコンの空気吸い込み口５２に向け、第２容器１２の噴孔を車室後部ないしシート５３に向けるようにする。床面５１に載置するときは、図３の連結部材１３の操作部２５はまだカバー部２４にぴったりと被せず、噴射を開始するときに、操作部２５をカバー部２４にぴったりと被せた後、指押し突起４１を強く押して係止ピン４４を係止孔３１に嵌合させる。それにより両方の容器１１、１２のステムが押し込まれ、各噴孔から同時に噴霧が始まる。なお自動車はアイドリング状態にして、カーエアコンはあらかじめ運転状態にしておく。
【００２９】
このような２本のエアゾール製品の同時の噴霧により、図４のように第１容器１１の殺菌・消臭剤の霧Ｇ１がカーエアコンの空気吸い込み口５２から吸引され、カーエアコンの内部を循環して殺菌消臭が行われる。同時に第２容器１２から芳香剤の霧Ｇ２が車室内に広く空間噴霧される。空間噴霧された芳香剤は、車内の内壁やシート５３に付着し、長期間、芳香作用を維持する。なお、噴射する時間は、それぞれの容器１１、１２で異なってもよく、目的、用途に応じた噴射形態（粒子径、噴射パターン、噴射量）を選択することができる。両方の容器１１、１２の全量噴射が終了した時点で、エアゾール製品１０を取り除く。
【００３０】
上記のように、このエアゾール製品１０は前後に異なるエアゾール組成物を噴出することができるので、２本のエアゾール製品を別々に取り扱う場合に比して、１回の作業で済む。さらに２本のエアゾール製品を別々に全量噴射すれば、使用者は１本目の噴射されたエアゾール組成物を体に浴びたり、吸引するが、前記のエアゾール製品１０では１回の操作で２本のエアゾール製品を同時に噴出させるので、使用者が噴射されたエアゾール組成物を浴びたり吸引するおそれがない。
【００３１】
使用後のエアゾール製品１０を廃棄する場合、連結部材１３が合成樹脂製の場合は、連結部材１３を容器１１、１２から外して分別廃棄することができる。その場合、容器１１、１２は連結部材１３に着脱容易に連結するのが好ましい。他方、連結部材１３を付けたままにしている方が、全量噴射済みで残留ガスがないことを明示するので、回収業者にとっては、安心である。なお、連結部材１３は容器１１、１２と同質の金属製とすることもできる。
【００３２】
前記実施形態では、自動車のカーエアコンの殺菌・消臭剤と、室内の芳香剤とを同時に噴射するエアゾール製品１０を示したが、本発明のエアゾール製品は、それ以外に異なる対象物および空間に同時に異なるエアゾール組成物を噴射する場合に採用しうる。たとえば、エアゾール製品の用途としては、一般的な室内、キッチン、トイレ、浴室などの家庭用品、人体用品などがあげられ、各容器に充填されるエアゾール組成物は、殺虫剤、害虫忌避剤、消臭剤、殺菌剤、抗菌剤、清涼剤、芳香剤などがあげられる。また２個の容器に充填するエアゾール組成物の組み合わせの具体例としては、トイレの便器の殺菌・消臭剤とトイレ内の芳香剤、キッチンのシンクの洗浄・殺菌剤と室内の芳香剤、足元用消臭剤とボディ用香水、口内用の消臭剤と全身清涼剤、室内の畳・絨毯などの床面の殺虫剤と空間用の殺虫剤、浴室の洗浄剤と壁面の防かび剤などの組み合わせがあげられる。
【００３３】
なお前述のエアゾール組成物は、殺虫剤、消臭剤などの有効成分を含有する原液と、原液を噴射させる噴射剤とからなる。
【００３４】
前記有効成分としては、フタルスリン、イミプロトリン、ペルメトリン、ｄ−フェノトリンなどの殺虫成分、サイネピリン、ピペロニルプトキサイト、オクタクロロジプロピルエーテルなどの殺虫効力増強剤、Ｎ，Ｎ−ジメチル−ｍ−トルアミド（ディート）、カプリル酸ジエチルアミドなどの害虫忌避剤、ラウリルメタクリレート、ゲラニルクロトレート、ミリスチン酸アセトフェノン、酢酸ベンジル、プロピオン酸ベンジル、安息香酸メチルなどの消臭・防臭剤、塩化ベンザルコニウム、塩化ベンゼトニウム、フェノキシエタノールなどの殺菌剤、ｌ−メントール、カンフルなどの清涼剤、パラオキシ安息香酸エステルなどの防腐剤、香料などがあげられる。原液には前記有効成分以外にも、有効成分を溶解させる溶媒、その他の成分などが含まれ、製品の目的、用途に応じて選択される。
【００３５】
また噴射剤としては、液化石油ガス、ジメチルエーテル、フロン類などの液化ガス、窒素ガス、炭酸ガス、亜酸化窒素ガス、圧縮空気などの圧縮ガスなどがあげられる。
【００３６】
なお、本発明に用いられるエアゾール組成物は、締め切った空間内で全量噴射させる場合でも安全なように、火気に対する安全性や人体への吸引毒性などを考慮して選択するのが好ましい。
【００３７】
前述のエアゾール製品１０は２本の容器１１、１２を並列的に結合しているが、本発明のエアゾール製品はそのようなものに限定されない。たとえば図５に示すエアゾール製品６０は、第１容器１１の上に、第２容器１２を上下逆にして、すなわちバルブ同士が接近するようにして、連結している。そのため各容器１１、１２の高さ（とくに径に対する高さの比）は図１の場合に比して、さらに低くしている。連結部材１３は第１容器１１のビード部６１と係合する環状の、あるいは放射状に配列された複数個の係合突起６２を下面側に備えており、第２容器１２のビード部６３と係合する係合突起６４を上面側に備えている。さらに上面および下面には、それぞれ第１容器１１および第２容器１２のステム２２と嵌合する穴３６および通路３９が形成されており、それらの通路３９の端部にノズルチップ４０が取り付けられている。通路３９は逆向きに折れ曲がっており、ノズルチップ４０の噴孔４２、４３は、水平面では逆方向を向き、それぞれ斜め上向きにしている。
【００３８】
このものは使用前には第２容器１２のビード部６３はまだ係合突起６４に係合させず、使用開始時に係合させる。それにより第１容器１１および第２容器１２から、同時に別々のエアゾール組成物を噴射させることができる。
【００３９】
図５に示す連結部材１３の上部と下部とを別個に製造し、中心線まわりに回動自在に連結してもよい。その場合は上下の容器１１、１２の噴孔４２、４３同士の水平面内における相対角度を、使用者が任意に設定することができる。なお図１の連結部材１３においても、操作部２５の下部突起３７と上部突起３８とを一体のものとし、天板３３に対して回動自在に、かつ軸方向に移動しないように連結すれば、同様の作用効果を奏する。さらに床面と空間に噴射する場合は、２本の容器を図５の場合とは逆向きで上下に結合し、一方は全体の上端側から、他方は全体の下端側から噴出させるようにしてもよい。
【００４０】
図６に示すエアゾール製品７０は、比較的細長い第１容器１１と第２容器１２を並列的に配置してそれらの上端同士を連結部材１３で連結したものである。さらに連結部材１３には、２本の容器１１、１２を床面５１に倒すように斜めに配置できる支持部７１を設けている。それぞれの噴孔４２、４３は、そのように斜めに配置した状態で、噴射すべき方向に向くように設定されている。たとえばこの実施形態では、第１容器１１の噴孔４２は連結部材１３の天面７２から上向きに噴出するように設け、第２容器１２の噴孔４３は連結部材１３の、倒したときに上側にくる側壁７３に設けている。
【００４１】
このものは、比較的細長い容器１１、１２を用いているにも関わらず、床面に安定して載置することができる。とくに２本の連結した状態の容器１１、１２の両方の中心線を含む面（仮想面）を床面に倒れ込ませるように支持させる場合（図６参照）は、横向きには倒れにくいので、一層安定する。そして各容器１１、１２は細長いため、手で持って使用する通常のエアゾール製品と同じものを採用しうる。そのため、連結している容器１１、１２を連結部材１３から取り外せば、手に握って使用することもでき、その場合でも、持ちやすい。
【００４２】
前記支持部７１は連結部材１３に固定していてもよいが、この実施形態では、支持部７１をコ字状に折り曲げた形態に構成し、両端を連結部材１３の端部側の側壁７４に回動自在に係合している。したがって販売時点では支持部７１を容器の上方に回しておけば、スペースをとらず、包装形態も突出部が少ないので好ましい。
【００４３】
支持部７１を回動自在とする場合、支持部７１をエアゾール製品のバルブの操作手段として利用することもできる。すなわち支持部７１を容器１１、１２の上部に回しておく場合にはバルブが開かず、前方に回動させたときにバルブが開くようにすればよい。
【００４４】
なお前記実施形態では２本の容器を結合しているが、３本以上の容器を結合してもよい。
【００４５】
前記実施形態では、１個の指押し突起を押すことにより２本の容器のバルブを同時に全量噴射の状態に操作することができるが、図７に示すように、一方の容器１１の押しボタン７６を連結部材１３の操作部２５に対して上下移動自在に設けてもよい。その場合は、押しボタン７６の周囲に操作部２５の内面と係合する係合突起７７を設けるのが好ましい。このものは、押しボタン７６を押している間だけ噴射させることができる。そのため、一方の容器１１について試し噴射させて、噴射した霧がたとえばエアコンの空気吸い込み口などの近くに達するかどうかを確かめることができる。そして容器１１、１２を適切な位置および向きに設置した後に、指押し突起４１を押して操作部２５をカバー部２４に係合させ、全量噴射すればよい。
【００４６】
なお、押しボタン７６を容器１１のバルブのステムおよび操作部２５に対して回動自在に取り付けてもよい。その場合は、容器１１、１２を設置した後に、押しボタン７６を適切な向きに合わせることができる。なお、他方の容器１２にも、同様の構成を採用することもできる。また、押しボタン７６の噴孔４１の仰角を調節できるように構成してもよい。
【００４７】
前記実施形態ではほぼ同じ大きさの２本の容器１１、１２を連結部材１３で連結しているが、図８ａに示すように、大きさの異なる容器１１、１２を連結部材１３で連結してもよい。その場合は安定性を高くするため、容器１１、１２の高さを合わせ、直径を変えるのが好ましい。また、図８ｂに示すように、細い２本の容器１１、１２を連結する場合は、倒れ防止のために、複数本の脚７８あるいは面積の広い台を設けるようにしてもよい。このような脚７８や台を設ける場合は、絨毯の上に載置する場合も安定する。
【００４８】
図９に示すエアゾール製品８０は、２本の容器１１、１２の底部に、平面視が小判形の箱状の底部連結部材８１が嵌合されている。底部連結部材８１の側壁８２には、所定の幅で２本の切取線８３が上端から底部まで設けられている。切取線８３は左右の側壁８２にそれぞれ設けるのが好ましいが、噴孔４２、４３の向きによっては片側でもよい。底部連結部材８１は合成樹脂あるいは金属などで構成しうる。
【００４９】
このものは想像線で示すように、切取線８３の部分で側壁８２を切り離し、その間の部分８４を水平方向に展開すると、底部連結部材８１の幅が横方向に拡がる。そのため、安定して載置することができ、噴孔４２、４３の向きが非対称であっても、噴射中に倒れるおそれが少ない。前記切取線８３の間の部分８４は請求項６の支持片である。
【００５０】
図１０に示すエアゾール製品では、底部連結部材８１が２本の容器１１、１２の底部に着脱自在に取り付けられている。底部連結部材８１の片側の側壁８２の中央部に、狭い幅の切り欠き８６が設けられている。底部連結部材の切断線をＵ字状に設けておき、使用者が使用時に切り取って切り欠き８６を形成するようにしてもよい。切り欠き８６の幅は、側壁８２の厚さとの関係で、２本の容器１１、１２の中間部を切り欠き８６にいくらか強く嵌合させ得る程度とするのが好ましい。また切り欠き８６の端縁の内面側に、容器１１、１２と密接する突起８６ａを設けてもよい。
【００５１】
このものは２本の容器１１、１２のうち、１本の容器１１を底部連結部材８１の内部に挿入し、他方の容器１２を外部に出すように、２本の容器１１、１２の中間部を切り欠き８６に嵌合させて使用する。このようにすると、２本の容器１１、１２の長手方向の中心線と、底部連結部材８１の長手方向の中心線とがＴ字状に配置されるので、左右のいずれの横方向にも倒れにくくなり、噴射時に安定する。
【００５２】
図１１は底部連結部材８１の側壁８２の端部近辺に切り欠き８６を設けた場合を示している。このものは２本の容器１１、１２と底部連結部材８１とをほぼＬ字状に配置することができ、噴射時に倒れにくくなる。さらに１本の容器１１の底部が底部連結部材８１にしっかりと嵌合するので、底部連結部材と８１と容器１１、１２の結合が強くなる利点がある。
【図面の簡単な説明】
【図１】  本発明のエアゾール製品の一実施形態を示す一部断面正面図である。
【図２】  そのエアゾール製品の斜視図である。
【図３】  図１における連結部材の開いた状態を示す斜視図である。
【図４】  そのエアゾール製品の使用状態を示す説明図である。
【図５】  本発明のエアゾール製品の他の実施形態を示す側面図である。
【図６】  本発明のエアゾール製品のさらに他の実施形態を示す斜視図である。
【図７】  本発明のエアゾール製品のさらに他の実施形態を示す要部断面図である。
【図８】  図８ａおよび図８ｂはそれぞれ本発明のエアゾール製品のさらに他の実施形態を示す斜視図である。
【図９】  本発明のエアゾール製品の他の実施形態を示す斜視図である。
【図１０】  本発明のエアゾール製品のさらに他の実施形態の使用方法を示す説明図である。
【図１１】  本発明のエアゾール製品のさらに他の実施形態の使用方法を示す説明図である。
【符号の説明】
１０  エアゾール製品
１１、１２  容器
１３  連結部材
１４  容器本体
１５  マウンティングカップ
１６  バルブ
１８  胴部
１９  底部
２０  ドーム
２１  ハウジング
２２  ステム
２４  カバー部
２５  操作部
２６  ヒンジ
２７  底板
２８  側壁
２９  開口部
３０  段部
３１  係止孔
３３  天板
３４  側壁
３６  穴
３７  下部突起
３８  上部突起
３９  通路
４０  ノズルチップ
４１  指押し突起
４２、４３  噴孔
４４  係止ピン
Ｈ  表示
５０  助手席
５１  床面
５２  空気吸い込み口
５３  シート
６０  エアゾール製品
６１、６３  ビード部
６２、６４  係合突起
７０  エアゾール製品
７１  支持部
７２  天面
７３、７４  側壁
７６  押しボタン
７７  係合突起
７８  脚
８０  エアゾール製品
８１  底部連結部材
８２  側壁
８３  切取線
８４  切取線の間の部分
８６  切り欠き
８６ａ  突起
【図１】
0004733814.tif 000002
【図２】
0004733814.tif 000003
【図３】
0004733814.tif 000004
【図４】
0004733814.tif 000005
【図５】
0004733814.tif 000006
【図６】
0004733814.tif 000007
【図７】
0004733814.tif 000008
【図８】
0004733814.tif 000009
【図９】
0004733814.tif 000010
【図１０】
0004733814.tif 000011
【図１１】
0004733814.tif 000012